(57)【要約】【課題】固定子の分割鉄心数によらず、環状に配置した分割鉄心を円周方向に移動させて同時に固定子を組み立てることができ、かつ、分割鉄心の圧入回数を少なくすることができる圧縮機を提供する。【解決手段】圧縮機１００の固定子２０を構成する分割鉄心２２は、第１鉄心素板６の所定積層枚数Ｎａを、第２鉄心素板７の所定積層枚数Ｎ以上であって第２鉄心素板７の所定積層枚数Ｎの２倍よりも少なくし、第１鉄心素板６及び第２鉄心素板７の各組を交互に積層方向に重ねて構成されており、固定子２０は、隣接する分割鉄心２２における第１鉄心素板６の第１凸部１ａと第１鉄心素板６の第１凹部１ｂとを嵌合させることで構成されていることを特徴とする。【選択図】図３
2010119163.tif 000002
【特許請求の範囲】
【請求項１】
円環状に接続されるバックヨーク部と前記バックヨーク部から突出したティース部とを有した複数個の分割鉄心が円環状に接続されてなる固定子と、
前記ティース部と間隙を持って保持される回転子と、
前記固定子を内部に収容し、固着保持する密閉容器と、を有し、
前記分割鉄心は、
前記バックヨーク部の左右の接続面の一方に第１凸部が、他方に前記第１凸部を積層方向から挿入可能な第１凹部が、それぞれ形成された第１鉄心素板を所定枚数積層させて一組とし、前記バックヨーク部の左右の接続面の一方に前記第１鉄心素板の前記第１凹部に積層方向及び周方向から挿入可能な第２凸部が、他方に前記第１鉄心素板の前記第１凸部及び前記第２凸部の双方が積層方向及び周方向から挿入可能な第２凹部が、それぞれ形成された第２鉄心素板を所定枚数積層させて一組とし、前記第２鉄心素板の所定積層枚数を、前記第１鉄心素板の所定積層枚数よりも２倍以上多くし、前記第１鉄心素板及び前記第２鉄心素板の各組を交互に積層方向に重ねて構成されており、
前記固定子は、
隣接する前記分割鉄心における前記第１鉄心素板の前記第１凸部と前記第１鉄心素板の前記第１凹部とを嵌合させることで構成されている
ことを特徴とする圧縮機。
【請求項２】
前記分割鉄心の各凹部及び各凸部を形成している領域の前記バックヨーク部の外周面を、前記密閉容器の接触面となる前記バックヨーク部の外周面よりも低くしている
ことを特徴とする請求項１に記載の圧縮機。
【請求項３】
前記分割鉄心をすきま嵌めとしたものにおいて、
前記分割鉄心の前記第１凹部及び前記第２凹部の外周部に、前記密閉容器との焼き嵌め結合する突起部を形成した
ことを特徴とする請求項１に記載の圧縮機。
【請求項４】
前記第２鉄心素板の前記第２凹部の外周部に、前記密閉容器と焼き嵌め結合する突起部を形成した
ことを特徴とする請求項１に記載の圧縮機。
【請求項５】
前記分割鉄心の前記第１凹部及び前記第２凹部に磁性体を成分として含んでいる冷間溶接剤を塗布した
ことを特徴とする請求項１に記載の圧縮機。
【請求項６】
前記分割鉄心の前記第１凹部及び前記第２凹部の円中心側の開口端部と、前記分割鉄心の前記第１凸部及び前記第２凸部の円中心側の根本部と、に面取部を形成した
ことを特徴とする請求項１〜５のいずれか一項に記載の圧縮機。
【請求項７】
前記分割鉄心の個数を３の倍数としている
ことを特徴とする請求項１〜６のいずれか一項に記載の圧縮機。
【請求項８】
前記請求項１〜７のいずれか一項に記載の分割鉄心を円環状に接続させて固定子を形成する圧縮機の組立設備であって、
前記分割鉄心を所定の間隔で段差を持って配置可能にし、前記分割鉄心を円の中心方向に同時に移動させてから、同じ高さの段差を持って配置されている前記分割鉄心を積層方向に同時に圧入可能にした
ことを特徴とする圧縮機の組立設備。
【請求項９】
前記段差を３段とし、
同じ高さの段差の前記分割鉄心を積層方向に同時に圧入可能にした
ことを特徴とする請求項８に記載の圧縮機の組立設備。
【請求項１０】
前記請求項１〜７のいずれか一項に記載の分割鉄心を所定の間隔で段差を持って円環状に配置し、前記分割鉄心を円の中心方向に同時に移動させて各分割鉄心を接続し、同じ高さの段差を持って配置されている前記分割鉄心を積層方向に同時に圧入にすることで固定子を作製し、
前記固定子を密閉容器内に固着保持する
ことを特徴とする圧縮機の組立方法。
【発明の詳細な説明】
【技術分野】
【０００１】
本発明は、複数に分割された分割鉄心（分割コア）を円環状に組み立てた固定子を有する圧縮機、この圧縮機の組立設備、及び、この圧縮機の組立方法に関するものである。
【背景技術】
【０００２】
従来、圧縮機に使用されるモータには、プレスで打ちぬかれた薄板状の電磁鋼板を積層し、かしめや溶接により一体化した鉄心を固定子として用いることが多かった。このような固定子では、巻線を巻き付ける際の作業性の向上及びモータの小型化の要請を十分に満足できなかった。そこで、固定子を構成する鉄心を分割化した分割型鉄心構造が提案されている。このような分割型鉄心構造で固定子を構成することによって、巻線の占積率を増加できるとともに巻線の作業性を向上でき、モータの小型化及びモータの組立作業の高速化を図ることが可能になっている。
【０００３】
そのようなものとして、固定子鉄心のバックヨーク部を等分割し、ティース部とバックヨーク部の一部を有する形状の完全に分割化した複数の分割鉄心を備え、当該分割型鉄心部のバックヨーク部側面には、凸部と凹部とを有する第１鉄心素板、凸部と凹部とを有する第２鉄心素板の２種類の鉄心素板を所定の順序で交互に積重ねて構成したものが提案されている（たとえば、特許文献１参照）。このような固定子鉄心は、隣接する第１鉄心素板の凸部と第２鉄心素板の凹部、第２鉄心素板の凸部と第１鉄心素板の凹部が挿入可能な構造で、複数個の分割鉄心を上下に位置をずらして円周上に配置し、積層方向に圧入して組み立てるようになっている。
【０００４】
また、「バックヨーク部、およびこのバックヨーク部から突出したティース部を有する複数の磁極片がジョイント部を介して折り曲げ可能に連結された連結体を備え、この連結体の複数枚が厚み方向に積層されて積層鉄心が構成され、この積層鉄心の上記ジョイント部が折曲されて円筒状に形成されるとともに、互いに突き合わされた端面同士が固着されてなる回転電機用固定子であって、上記積層鉄心の互いに突き合わされる端面には、各連結体ごとに凹部とこれに嵌合される凸部とが設けられ、これらの凹部と凸部は、積層方向からの嵌合を許容するが周方向からの嵌合は許容しない形状の組み合わせとなる第１嵌合形態と、周方向および積層方向の双方からの嵌合を許容する形状の組み合わせとなる第２嵌合形態とがそれぞれ生じるように形成されており、かつ、上記各連結体は、上記第１嵌合形態と第２嵌合形態とが積層方向に沿って所定枚数分ずつ交互に発生するように積層配置され、上記第１嵌合形態となる凹部と凸部との嵌合により上記積層鉄心の上記端面同士が一体的に結合されている回転電機用固定子」が提案されている（たとえば、特許文献２参照）。
【０００５】
【特許文献１】ＷＯ２００７／１４１９０７号公報
【特許文献２】特開２００８−９２６９１号公報（第３−４頁、第１図）
【発明の開示】
【発明が解決しようとする課題】
【０００６】
特許文献１に記載されているような固定子は、第１鉄心素板の積層枚数と第２鉄心素板の積層枚数とが同枚数で、かつ、分割鉄心が偶数個で構成されている場合には、分割鉄心を積層方向に１段ずつ上下に位置をずらし、環状に並べて円中心方向に同時に挿入して組み立てられる。しかしながら、分割鉄心が奇数個で構成されている場合、積層方向に１段ずつ上下に位置をずらして環状に並べると周方向からの挿入ができない第１鉄心素板と第２鉄心素板同時が隣り合う箇所が発生することになる。そのため、積層鉄心を環状に並べて円中心方向に同時に挿入するためには、予め２個の分割鉄心を積層方向に圧入するなどして、偶数個の構成にしなければならない。
【０００７】
また、特許文献２に記載のされているような回転電機用固定子は、３つの積層鉄心を互いに一体的にジョイントで連結した構成とされており、３つの積層鉄心をジョイント部で折曲して逆反らせて各ティース部の隙間を大きくなるようにした状態で、各ティース部に巻線するようになっている。巻線後は、ジョイント部を上記とは逆方向に折曲して各分割鉄心を円弧状に形成している。そのため、巻線前後の工程が増加して、その工程に要する時間及び手間が掛かってしまう。つまり、特許文献２に記載されているような回転電機用固定子には、分割鉄心の組み立て前工程に改善性の余地が残っているのである。
【０００８】
本発明は、以上のような課題を解決するためになされたもので、固定子の分割鉄心数によらず、環状に配置した分割鉄心を円周方向に移動させて同時に固定子を組み立てることができ、かつ、分割鉄心の圧入回数を少なくすることができる圧縮機、圧縮機の組立設備、及び、圧縮機の組立方法を提供することを第１の目的としている。また、第１の目的に加え、分割数の多い電機用固定子においても組立工数が少なく、組立時間を短縮することを可能とした圧縮機、圧縮機の組立設備、及び、圧縮機の組立方法を提供することを第２の目的としている。
【課題を解決するための手段】
【０００９】
本発明に係る圧縮機は、円環状に接続されるバックヨーク部と前記バックヨーク部から突出したティース部とを有した複数個の分割鉄心が円環状に接続されてなる固定子と、前記ティース部と間隙を持って保持される回転子と、前記固定子を内部に収容し、固着保持する密閉容器と、を有し、前記分割鉄心は、前記バックヨーク部の左右の接続面の一方に第１凸部が、他方に前記第１凸部を積層方向から挿入可能な第１凹部が、それぞれ形成された第１鉄心素板を所定枚数積層させて一組とし、前記バックヨーク部の左右の接続面の一方に前記第１鉄心素板の前記第１凹部に積層方向及び周方向から挿入可能な第２凸部が、他方に前記第１鉄心素板の前記第１凸部及び前記第２凸部の双方が積層方向及び周方向から挿入可能な第２凹部が、それぞれ形成された第２鉄心素板を所定枚数積層させて一組とし、前記第２鉄心素板の所定積層枚数を、前記第１鉄心素板の所定積層枚数よりも２倍以上多くし、前記第１鉄心素板及び前記第２鉄心素板の各組を交互に積層方向に重ねて構成されており、前記固定子は、隣接する前記分割鉄心における前記第１鉄心素板の前記第１凸部と前記第１鉄心素板の前記第１凹部とを嵌合させることで構成されていることを特徴とする。
【００１０】
本発明に係る圧縮機の組立設備は、上記の分割鉄心を円環状に接続させて固定子を形成する圧縮機の組立設備であって、前記分割鉄心を所定の間隔で段差を持って配置可能にし、前記分割鉄心を円の中心方向に同時に移動させてから、同じ高さの段差を持って配置されている前記分割鉄心を積層方向に同時に圧入可能にしたことを特徴とする。
【００１１】
本発明に係る圧縮機の組立方法は、上記の分割鉄心を所定の間隔で段差を持って円環状に配置し、前記分割鉄心を円の中心方向に同時に移動させて各分割鉄心を接続し、同じ高さの段差を持って配置されている前記分割鉄心を積層方向に同時に圧入にすることで固定子を作製し、前記固定子を密閉容器内に固着保持することを特徴とする。
【発明の効果】
【００１２】
本発明に係る圧縮機によれば、２×（第１鉄心素板の積層枚数Ｎａ）＜（第２鉄心素板の積層枚数Ｎ）とすることによって、第１凸部及び第２凸部のいずれも挿入可能な第２凹部の占める範囲を広くし、分割鉄心の個数の制約なしに各分割鉄心の第２凹部に、各分割鉄心の凸部（第１凸部及び第２凸部の双方）を同時に挿入することができる。
【００１３】
また、本発明に係る圧縮機の組立設備及び組立方法によれば、同じ高さの段差を持って配置される分割鉄心を同時に圧入することができるので、分割鉄心の圧入作業に要する組立工数を軽減することができる。また、段差を持って分割鉄心を環状に組み合わせた状態から、各分割鉄心を偏りなく均等な位置から積層方向に圧入することができ、真円度が高い固定子を得ることができる。
【発明を実施するための最良の形態】
【００１４】
以下、本発明の実施の形態を図面に基づいて説明する。
実施の形態１．
図１は、本発明の実施の形態１に係る圧縮機１００の断面構成の一例を示す縦断面図である。図１に基づいて、圧縮機１００の構成及び動作について説明する。この圧縮機１００は、スクロール式圧縮機である場合を例に示しており、たとえば冷蔵庫や冷凍庫、自動販売機、空気調和器、冷凍装置、給湯器等の冷凍サイクル（ヒートポンプサイクル）の構成要素となるものである。なお、図１を含め、以下の図面では各構成部材の大きさの関係が実際のものとは異なる場合がある。
【００１５】
この圧縮機１００は、冷凍サイクルを循環する冷媒を吸入し、圧縮して高温高圧の状態として吐出させるものである。そして、圧縮機１００は、圧縮部１６と駆動部１７とに分類できる。この圧縮部１６及び駆動部１７は、密閉容器（シェル）１０内に収納されている。この密閉容器１０は、圧力容器となっている。図１に示すように、圧縮部１６が密閉容器１０の上側に配置され、駆動部１７が密閉容器１０の下側に配置されている。この密閉容器１０の底部は、冷凍機油５を貯留する油だめ１１となっている。また、密閉容器１０には、冷媒ガスを吸入するための吸入側配管１２と、冷媒ガスを吐出するための吐出側配管１３とが連接されている。
【００１６】
圧縮部１６は、吸入側配管１２から吸入した冷媒ガスを圧縮して密閉容器１０内の吐出空間１５に排出する機能を有している。この吐出空間１５に排出された冷媒ガスは、吐出側配管１３から圧縮機１００の外部に吐出されるようになっている。駆動部１７は、圧縮部１６で冷媒ガスを圧縮するために、圧縮部１６を構成する旋回スクロール５０を駆動する機能を果たすようになっている。つまり、駆動部１７がクランクシャフト４０を介して旋回スクロール５０を駆動することによって、圧縮部１６で冷媒ガスを圧縮するようになっているのである。
【００１７】
圧縮部１６は、旋回スクロール５０と、固定スクロール６０と、フレーム７０とで概略構成されている。図１に示すように、旋回スクロール５０は下側に、固定スクロール６０は上側に配置されるようになっている。固定スクロール６０には、一方の面に立設された渦巻状突起であるラップ部６２が形成されている。また、旋回スクロール５０にも、一方の面に立設され、ラップ部６２と実質的に同一形状の渦巻状突起であるラップ部５２が形成されている。旋回スクロール５０及び固定スクロール６０は、ラップ部５２とラップ部６２とを互いに噛み合わせ、密閉容器１０内に装着されている。そして、ラップ部５２とラップ部６２との間には、相対的に容積が変化する圧縮室１８が形成される。
【００１８】
固定スクロール６０は、フレーム７０に図示省略のボルト等によって固定されている。固定スクロール６０の中央部には、圧縮され、高圧となった冷媒ガスを吐出する吐出ポート６３が形成されている。そして、圧縮され、高圧となった冷媒ガスは、固定スクロール６０の上部に設けられている吐出空間１５に排出されるようになっている。旋回スクロール５０は、固定スクロール６０に対して自転運動することなく公転旋回運動を行うようになっている。また、旋回スクロール５０のラップ部５２形成面とは反対側の面（以下、スラスト面と称する）の略中心部には、中空円筒形状の旋回スクロールボス部５３が形成されている。この旋回スクロールボス部５３には、後述するクランクシャフト４０の上端に設けられた偏心ピン部４１が嵌入（係合）されているのである。
【００１９】
フレーム７０は、密閉容器１０の内周面に固着され、中心部にクランクシャフト４０を貫通させるため貫通孔が形成されている。また、フレーム７０には、旋回スクロール５０のスラスト面５５側から軸方向下側に貫通する排油穴７１が形成されており、スラスト面５５を潤滑した冷凍機油５を油だめ１１に戻すようになっている。図１では、排油穴７１が１つだけ形成されている場合を例に示しているが、これに限定するものではない。たとえば、排油穴７１を２つ以上形成してもよい。なお、フレーム７０は、その外周面を焼き嵌めや溶接等によって密閉容器１０の内周面に固定するとよい。
【００２０】
駆動部１７は、クランクシャフト４０に固定された回転子（ロータ）１９と、密閉容器１０に収容され、固着保持された固定子（集中巻ステータ）２０と、駆動軸であるクランクシャフト４０とで構成されている。回転子１９は、クランクシャフト４０に固定され、固定子２０への通電が開始することにより回転駆動し、クランクシャフト４０を回転させるようになっている。また、固定子２０の外周面は焼き嵌め等により密閉容器１０に固着支持されている。すなわち、回転子１９及び固定子２０で圧縮機用モータ（電動機）を構成しているのである。
【００２１】
クランクシャフト４０は、作用するガス荷重に対し、許容撓み量を確保できる剛性をもち、切削性が良好であって、低コスト化できる材料を選定して構成するとよい。クランクシャフト４０の上端部は、旋回スクロール５０の旋回スクロールボス部５３と回転自在に嵌合する偏心ピン部４１が形成されている。また、クランクシャフト４０の内部には、上端面まで連通している給油流路４２が形成されている。この給油流路４２は、油だめ１１に貯留してある冷凍機油５の流路となるものである。油だめ１１に溜まっている冷凍機油５は、クランクシャフト４０の回転に伴い、冷凍機油５を吸い上げて給油流路４２を流れて圧縮部１６に給油されるようになっている。
【００２２】
旋回スクロール５０と固定スクロール６０との間には、旋回スクロール５０の偏心旋回運動中における自転運動を阻止するためのオルダムリング８０が配設されている。このオルダムリング８０は、旋回スクロール５０と固定スクロール６０との間に配設され、旋回スクロール５０の自転運動を阻止するとともに、公転旋回運動を可能とする機能を果たすようになっている。つまり、オルダムリング８０は、旋回スクロール５０の自転防止機構として機能している。
【００２３】
ここで、圧縮機１００の動作について簡単に説明する。
圧縮機用モータを構成する回転子１９は、固定子２０が発生する回転磁界からの回転力を受けて回転する。それに伴って、回転子１９に固定されたクランクシャフト４０が回転駆動する。旋回スクロール５０は、クランクシャフト４０の偏心ピン部４１に係合されており、旋回スクロール５０の自転回転運動がオルダムリング８０の自転防止機構によって公転旋回運動に変換される。このクランクシャフト４０の回転駆動によって、密閉容器１０内の冷媒ガスが固定スクロール６０のラップ部６２と旋回スクロール５０のラップ部５２とにより形成される圧縮室１８内へ流れ、吸入過程が開始する。
【００２４】
圧縮室１８内に冷媒ガスが吸入されると、偏心させられた旋回スクロール５０の公転旋回運動で、圧縮室１８の容積を減少させる圧縮過程へと移行する。つまり、圧縮部１６では、旋回スクロール５０が公転旋回運動すると、冷媒ガスが吸入口となる旋回スクロール５０のラップ部５２及び固定スクロール６０のラップ部６２の最外周開口部から取り込まれて、旋回スクロール５０の回転とともに徐々に圧縮されながら中心部に向かうようになっている。なお、冷凍サイクルを循環してきた低圧状態の冷媒は、吸入側配管１２から密閉容器１０内に流入するようになっている。
【００２５】
そして、圧縮室１８で圧縮された冷媒ガスは、吐出過程に移行する。つまり、冷媒ガスは、固定スクロール６０の吐出ポート６３を通過し、吐出空間１５を経由してから圧縮機１００の外部へと吐出されるのである。圧縮機１００の吐出側配管１３から吐出された冷媒は、高温高圧の状態となって、冷凍サイクルを構成する凝縮器に流入するようになっている。その後、固定子２０への通電を停止すると圧縮機１００は停止する。
【００２６】
図２は、圧縮機１００の断面構成を拡大して示すＡ−Ａ断面図である。図３は、分割鉄心２２を説明するための斜視図である。図４は、分割鉄心２２を構成する各鉄心素板を説明するための説明図である。図２〜図４に基づいて、実施の形態１の特徴部分である固定子２０、特に分割鉄心２２について詳細に説明する。なお、図２では、説明の便宜上、固定子２０のみを図示している。また、図４（ａ）が第１鉄心素板６の形状を拡大して示す斜視図を、図４（ｂ）が第２鉄心素板７の形状を拡大して示す斜視図を、図４（ｃ）が各鉄心素板に形成する凹凸部の挿入可否の関係を説明するための説明図を、それぞれ示している。
【００２７】
この固定子２０は、複数個（ここでは９個）の分割鉄心２２が円環状に組み立てられることで構成されている。分割鉄心２２は、組み立てられた状態において円環状に接続されるバックヨーク部２３と、組み立てられた状態においてバックヨーク部２３から中心に向かって突出するティース部２４と、で構成されている。この分割鉄心２２を円環状に組み立てると、隣り合うティース部２４の間にスロット３５が形成される。そして、ティース部２４に集中巻方式の巻線が施されるようになっている。つまり、スロット３５が、ティース部２４に巻かれる巻線の収容スペースとなっているのである。
【００２８】
さらに、分割鉄心２２を構成しているバックヨーク部２３の外周部（密閉容器１０との接合面）には、所定形状の切欠き２１が形成されている。このように構成された固定子２０は、焼き嵌められることで密閉容器１０の内壁面に固着支持されることになる（固定子２０の組立設備及び固定子２０の組立方法については図５で詳細に説明するものとする）。なお、実施の形態１では、切欠き２１があり溝形状に形成されている場合を例に示しているが、切欠き２１の形状を特に限定するものではない。
【００２９】
分割鉄心２２は、第１鉄心素板６と、第２鉄心素板７と、を組み合わせて構成されている。図４に示すように、第１鉄心素板６には、バックヨーク部２３の一方の側面（隣接する分割鉄心２２との接続部分となる一方の側面、つまり図４に示す紙面左側の側面）に所定形状の第１凸部１ａが、バックヨーク部２３の他方の側面（隣接する分割鉄心２２との接続部分となる他方の側面、つまり図４に示す紙面右側の側面）に所定形状の第１凹部１ｂが、それぞれ形成されている。そして、第１鉄心素板６が所定枚数積層されるようになっている。なお、第１鉄心素板６の積層枚数をＮａとして説明するものとする。
【００３０】
同様に、第２鉄心素板７には、バックヨーク部２３の一方の側面（隣接する分割鉄心２２との接続部分となる一方の側面、つまり図４に示す紙面左側の側面）に第１鉄心素板６の第１凹部１ｂに挿入可能な所定形状の第２凸部２ａが、バックヨーク部２３の他方の側面（隣接する分割鉄心２２との接続部分となる他方の側面、つまり図４に示す紙面右側の側面）に第１鉄心素板６の第１凸部１ａが挿入可能な所定形状の第２凹部２ｂが、それぞれ形成されている。そして、第２鉄心素板７が所定枚数積層されるようになっている。なお、第２鉄心素板７の積層枚数をＮとして説明するものとする。
【００３１】
第１凸部１ａ、第２凸部２ａ、第１凹部１ｂ、及び、第２凹部２ｂの関係、つまり各凹凸部の挿入可否の関係について更に詳しく説明する。図４（ｃ）に示すように、第１凹部１ｂに対しては、第１凸部１ａが、周方向からの挿入ができず、積層方向からの挿入のみが可能な形状としており、第２凸部２ａが、周方向及び積層方向のいずれからも挿入可能な形状となっている。一方、図４（ｃ）に示すように、第２凹部２ｂに対しては、第１凸部１ａ及び第２凸部２ａが、周方向及び積層方向のいずれからも挿入可能な形状となっている。
【００３２】
したがって、第１凹部１ｂと第１凸部１ａとは、第１凹部１ｂに対して第１凸部１ａの積層方向から挿入されて嵌合されるようになっている。また、第１凹部１ｂと第２凸部２ａ、第２凹部２ｂと第１凸部１ａ、及び、第２凹部２ｂと第２凸部２ａは、いずれも周方向及び積層方向のいずれからも挿入可能になっている。なお、第１凸部１ａ、第２凸部２ａ、第１凹部１ｂ、及び、第２凹部２ｂの形状を特に限定するものではなく、以下の条件を満たすような形状であればよい。
【００３３】
そして、Ｎａ枚の第１鉄心素板６を一組として、Ｎ枚の第２鉄心素板７を一組として、各組を交互に重ねて１つの分割鉄心２２を構成している。ここで、実施の形態１では、第１鉄心素板６の積層枚数Ｎａと第２鉄心素板７の積層枚数Ｎとの関係を、２Ｎａ≦Ｎを満たすように決定し、分割鉄心２２を構成するようにしている。２Ｎａ≦Ｎとすることによって、各分割鉄心を積層方向に１段ずつ２段階に位置をずらすことが可能となり、奇数個の分割鉄心２２を環状に並べても、円の中心方向（クランクシャフト４０の方向）に同時に移動させて固定子２０を作製することができる（図５で詳細に説明する）。
【００３４】
隣り合う分割鉄心２２の位置が積層方向に多少誤差があっても、あるいは鉄心素板（第１鉄心素板６及び第２鉄心素板７）の板厚に偏差があっても、予想される厚み誤差を十分吸収でき、容易に挿入できる程度とすべきであることからも、一例としてＮをＮａの２１０％〜３００％程度にしておくことが好ましいことになる。一方、ＮとＮａの差を３００％より大きくすること、すなわちＮを極端に大きくすることは、分割鉄心２２同士の固着力の低下と第２凸部２ａと第２凹部２ｂとによって形成される隙間が磁束の通る鉄心において磁気抵抗となり、透磁率を弱くすることになる。このことからも、２Ｎａ≦Ｎを満たすように各鉄心素板の枚数を決定するとよい。
【００３５】
図５は、固定子２０の組立を説明するための工程図である。図６は、隣接する分割鉄心２２の接続状態を詳細に説明するための部分拡大図である。図５及び図６に基づいて、固定子２０の組立について詳細に説明する。なお、図５には、比較例として従来の固定子の組立方法の一部を示している。また、図５では、従来の固定子の組立との顕著な差異を示すために、奇数個（ここでは９個）の分割鉄心２２で固定子２０を構成する場合について例示している。さらに、図６では、隣接する２つの分割鉄心２２の組立について示している。
【００３６】
まず、分割鉄心２２を所定の間隔で環状に配置できる組立設備（図１２参照）に９個の分割鉄心２２をセットする。つまり、第１鉄心素板６及び第２鉄心素板７を組み合わせて構成した分割鉄心２２を環状に並べて配置する（図５（ａ1 ））。このときの各分割鉄心２２の位置関係を図５（ａ2 ）に示している。図５（ａ2 ）では、便宜的に紙面最左側の分割鉄心２２を１番目とし、最右側の分割鉄心２２を９番目として図示している。組立設備は、配置される分割鉄心２２の設置面の高さを異ならせることが可能となっている。たとえば、分割鉄心２２の設置面の下側からバネ等で付勢し、分割鉄心２２が載置されることで所定の高さ位置となるようにしておくとよい。
【００３７】
つまり、図５（ａ2 ）に示すように、１番目の分割鉄心２２の位置を基準にすると、２番目の分割鉄心２２が１番目の分割鉄心２２よりも１段上方にずらした位置に、３番目の分割鉄心２２が２番目の分割鉄心２２よりも更に１段上方にずらした位置に、それぞれ配置されるようになっている。なお、４番目以降の分割鉄心２２は、１番目〜３番目の配置が繰り返されるようになっている。また、高さの異ならせ方を図示している場合に限定するものではない。
【００３８】
ここでいう１段とは、２つの分割鉄心２２を水平に配置した状態から、一方の分割鉄心２２（ここでは２番目、５番目、及び、８番目の分割鉄心２２）が他方の分割鉄心２２（ここでは１番目、４番目、及び、７番目の分割鉄心２２）に周方向から最初に挿入できる位置にまで上方にずらしたことを表している。そして、３番目、６番目、及び、９番目の分割鉄心２２は、１番目、４番目、及び、７番目の分割鉄心２２から２段上方にずらして配置されている。
【００３９】
各分割鉄心２２は、上述したように第１鉄心素板６の積層枚数Ｎａと第２鉄心素板７の積層枚数Ｎとの関係が２Ｎａ≦Ｎとなるように構成されている。このようにすることによって、奇数個の分割鉄心２２を環状に並べても、円の中心方向に同時に移動させて、凹部に凸部を挿入することが可能になる。つまり、２Ｎａ≦Ｎとすることによって、第１凸部１ａ及び第２凸部２ａのいずれも挿入可能な第２凹部２ｂの占める範囲を広くし、分割鉄心２２の個数の制約なしに各分割鉄心２２の第２凹部２ｂに、各分割鉄心２２の凸部（第１凸部１ａ及び第２凸部２ａの双方）を同時に挿入可能にしているのである。
【００４０】
組立設備では、環状に配置した各分割鉄心２２を円の中心方向に同時に移動させる（図５（ａ1 ）で示す矢印）。そして、各分割鉄心２２の第１凹部１ｂに、各分割鉄心２２の第２凸部２ａが挿入され、各分割鉄心２２の第２凹部２ｂに、各分割鉄心２２の凸部（第１凸部１ａ及び第２凸部２ａの双方）が挿入される（図５（ｂ1 ））。このとき、２番目、５番目、及び、８番目の分割鉄心２２が、１番目、４番目、及び、７番目の分割鉄心２２に対して１段上方に位置しており、３番目、６番目、及び、９番目の分割鉄心２２が、１番目、４番目、及び、７番目の分割鉄心２２から２段上方に位置している（図５（ｂ2 ））。
【００４１】
環状に配置した各分割鉄心２２を円の中心方向に同時に移動させると、図６（ａ）に示すように、１番目の分割鉄心２２の第２凹部２ｂに、２番目の分割鉄心２２の凸部が挿入される。このとき、図６（ａ1 ）に示すように１番目の分割鉄心２２の第２凹部２ｂには２番目の分割鉄心２２の第１凸部１ａが、図６（ａ2 ）に示すように１番目の分割鉄心２２の第１凹部１ｂには２番目の分割鉄心２２の第２凸部２ａが、図６（ａ3 ）に示すように１番目の分割鉄心２２の第１凹部１ｂには２番目の分割鉄心２２の第２凸部２ａが、隙間を持ってそれぞれ挿入されることになる。
【００４２】
次に、段差を持って配置されている分割鉄心２２を積層方向に圧入する（図５（ｃ））。このとき、組立設備では、図５（ｂ2 ）の矢印で示すように、同一段差の複数個の分割鉄心２２（２番目、５番目、及び、８番目の分割鉄心２２）を同時に圧入することができる。このように、２番目、５番目、及び、８番目の分割鉄心２２を積層方向に圧入すると、１番目と２番目の分割鉄心２２が、４番目と５番目の分割鉄心２２が、７番目と８番目の分割鉄心２２が、それぞれ接続されることになる。つまり、１番目、４番目、及び、７番目の分割鉄心２２の第１凹部１ｂに、２番目、５番目、及び、８番目の分割鉄心２２の第１凸部１ａが嵌合されるのである。
【００４３】
段差を持って配置されている分割鉄心２２を積層方向に圧入すると、図６（ｂ）に示すように、１番目の分割鉄心２２の凹部に、２番目の分割鉄心２２の凸部が嵌合される。詳しくは、図６（ｂ1 ）に示すように１番目の分割鉄心２２の第１凹部１ｂに、２番目の分割鉄心２２の第１凸部１ａが嵌合され、図６（ｂ2 ）に示すように１番目の分割鉄心２２の第２凹部２ｂに、２番目の分割鉄心２２の第２凸部２ａが隙間を持って接続されることになる。  
【００４４】
それから、組立設備では、図５（ｃ）の矢印で示すように同一段差の複数個の分割鉄心２２（３番目、６番目、及び、９番目の分割鉄心２２）を同時に圧入することができる。このように、３番目、６番目、及び、９番目の分割鉄心２２を積層方向に圧入すると、２番目と３番目の分割鉄心２２が、５番目と６番目の分割鉄心２２が、８番目と９番目の分割鉄心２２が、それぞれ接続されるとともに、３番目と４番目の分割鉄心２２が、６番目と７番目の分割鉄心２２が、９番目と１番目の分割鉄心２２が、それぞれ接続されることになる（図５（ｄ））。すなわち、全ての分割鉄心２２が接続されることになるのである。
【００４５】
このように、実施の形態１に係る圧縮機の組立設備では、同じ段差を持って配置される分割鉄心２２を同時に圧入することができるので、分割鉄心２２の圧入作業に要する組立工数を軽減することができる。また、段差を持って分割鉄心２２（たとえば、２番目、５番目及び８番目の分割鉄心２２や、３番目、６番目及び９番目の分割鉄心２２）を環状に組み合わせた状態から、各分割鉄心２２を偏りなく均等な位置から積層方向に圧入することができ、真円度が高い固定子２０を得ることができる。
【００４６】
一方、図５（ｘ）に示すように、第１鉄心素板の積層枚数と第２鉄心素板の積層枚数が同数の分割鉄心を組み立てる場合には、分割鉄心の個数が偶数個であれば、隣接する分割鉄心を積層方向に１段ずつ上下にずらして環状に並べて円中心方向に同時に挿入することができる。ところが、分割鉄心の個数が奇数個になると、積層方向に１段ずつ上下に位置をずらして環状に並べると周方向からの挿入ができない第１鉄心素板同士が隣り合う箇所が発生してしまう（ここでは９番目と１番目の分割鉄心）。また、第１鉄心素板の積層枚数Ｎａと第２鉄心素板の積層枚数Ｎとの関係がＮａ＜Ｎ≦２Ｎａの分割鉄心を組み立てる場合においても、上記と同様に分割鉄心の個数が奇数個になると、積層方向に１段ずつ上下に位置をずらして環状に並べると周方向からの挿入ができない第１鉄心素板同士が隣り合う箇所が発生してしまう。そこで、実施の形態１では、分割鉄心２２の個数の制約なしに固定子２０を簡便に作製できるようにしているのである。
【００４７】
図１２は、本発明の実施の形態１に係る組立設備２００を上から見た状態を示す概略平面図である。図１３は、分割鉄心２２のセット位置を説明するための説明図である。また、図１３（ａ）が図１２のＡ−Ａ断面図を、図１３（ｂ）が図１２のＢ−Ｂ断面図を、図１３（ｃ）が図１２のＣ−Ｃ断面図を、それぞれ示している。図１２及び図１３に基づいて、図５及び図６で説明した固定子２０の組立方法、つまり組立設備２００の作用について更に詳しく説明する。まず、９個の分割鉄心２２を用意し、組立設備２００のワーク固定ユニット２０３にセットする。つまり、図１３に示すように、各分割鉄心２２は、ワーク固定ユニット２０３の分割鉄心固定台２１５にセットされる。
【００４８】
１番目、４番目、及び、７番目の分割鉄心２２は、図１３（ａ）に示すように固定されている分割鉄心底面押え２１１ａ上に載置される。２番目、５番目、及び、８番目の分割鉄心２２は、図１３（ｂ）に示すようにバネ２１６ａで付勢され、分割鉄心底面押え２１１ａよりも一段高く位置している可動式の分割鉄心底面押え２１１ｂ上に載置される。３番目、６番目、及び、９番目の分割鉄心２２は、図１３（ｃ）に示すようにバネ２１６ｂで付勢され、分割鉄心底面押え２１１ａよりも二段高く位置している可動式の分割鉄心底面押え２１１ｃ上に載置される。つまり、各分割鉄心２２は、段差を持って載置されるようになっている。なお、分割鉄心底面押え２１１ｂ及び分割鉄心底面押え２１１ｃは、分割鉄心底面押え２１１ａの高さまで可動可能になっている。
【００４９】
各分割鉄心２２は、ワーク内周保持２０４で内周面側が、ワーク外周保持２０５で外周面側が、それぞれ保持される。各分割鉄心２２をセットする際、各分割鉄心２２の切欠き２１の一端を固定側チャック爪２０６に把持し、その後可動側チャック爪２０７を移動させ他端を把持するようになっている。このようにして、各分割鉄心２２が環状に配置される。次に、ワーク固定ユニット２０３に取り付けられているハンドル２１０を移動させる。ハンドル２１０を移動させるとともにカム溝リング２０２がベース２０１に固定されているカム溝リング保持２１４に沿って回転し、カム溝２０９に追随してカム２０８とワーク固定ユニット２０３が中心方向に移動する。
【００５０】
分割鉄心固定台２１５及び分割鉄心底面押え２１１は、スライドベース２１２に固定されている。また、ベース２０１にはスライドベース２１２を中心方向に移動させるためのスライドガイド２１３が設けられている。ハンドル２１０を移動させると、カム２０８とワーク固定ユニット２０３が中心方向に移動、つまりスライドガイド２１３に沿ってスライドベース２１２がスライドするようになっている。そうすると、各分割鉄心２２が中心側で円環状に接続、つまり各第１凹部１ｂに各第２凸部２ａが挿入され、各第２凹部２ｂに、各凸部（第１凸部１ａ及び第２凸部２ａの双方）が挿入されることになる（図５（ｂ1 ）の状態）。
【００５１】
次に、図１３（ｂ）に示すように、同一段差に配置されている分割鉄心２２（２番目、５番目、及び、８番目の分割鉄心２２）を同時に圧入する。そして、１番目と２番目の分割鉄心２２を、４番目と５番目の分割鉄心２２を、７番目と８番目の分割鉄心２２を、それぞれ接続する。それから、図１３（ｃ）に示すように、同一段差に配置されている分割鉄心２２（３番目、６番目、及び、９番目の分割鉄心２２）を同時に圧入する。そして、２番目と３番目の分割鉄心２２を、５番目と６番目の分割鉄心２２を、８番目と９番目の分割鉄心２２を、それぞれ接続するとともに、３番目と４番目の分割鉄心２２を、６番目と７番目の分割鉄心２２を、９番目と１番目の分割鉄心２２を、それぞれ接続する。すなわち、全ての分割鉄心２２の接続が完了するのである（図５（ｄ）の状態）。
【００５２】
以上のように、実施の形態１に係る圧縮機の組立設備２００及び圧縮機組立方法によれば、分割鉄心２２の個数によらず、環状に配置した分割鉄心２２を円周方向に同時に移動させて固定子２０を組み立てることができ、かつ、分割鉄心２２の圧入回数を低減した圧縮機用モータ及び圧縮機を得られる。また、実施の形態１の組立方法によれば、より簡便に固定子２０を組み立てることができる。さらに、実施の形態１の組立方法によれば、分割数の多い電機用固定子においても組立工数が少なく、組立時間を短縮できる圧縮機用モータ及び圧縮機１００を得られる。
【００５３】
なお、図５では、３相交流の回転電機に搭載される場合を考慮して、ＵＶＷの各相に対応させるように固定子２０を構成する磁極片（分割鉄心２２）の個数を３の倍数である９個としているが、これに限定するものではなく、他の個数としてもよい。ただし、分割鉄心２２の個数が３の倍数であることが望ましい。また、分割鉄心２２を構成する第１鉄心素板６及び第２鉄心素板７の積層枚数はあくまで一例であって、積層枚数を特に限定するものではない。
【００５４】
実施の形態２．
図７は、本発明の実施の形態２に係る圧縮機１００ａの一部を拡大して示す部分拡大図である。図７に基づいて、実施の形態２の特徴事項である分割鉄心の固着力強化について説明する。この実施の形態２では、実施の形態１で説明した事項に加え、各分割鉄心（以下、分割鉄心２２ａと称する）の固着力をより強固する仕組みについて説明する。図７（ａ）が２つの分割鉄心２２ａが組み合わされた状態の拡大図を、図７（ｂ）が隣接する分割鉄心２２ａの接続部分の拡大図を、それぞれ示している。
【００５５】
各分割鉄心２２ａの固着力が弱いと、組み立てられた分割鉄心２２ａの機械的強度が低下することになり、圧縮機用モータ（あるいは圧縮機１００ａ）の低振動や、低騒音の原因となる。各分割鉄心２２ａの固着力を強くするために、凹凸部がしまり嵌めとなる圧入部分のしめ代を大きくすることが考えられる。そうすると、嵌合される凹部が変形し、外周側にはみ出し、固定子２０の外径が大きくなってしまうことになる。そのため、次工程である固定子２０を密閉容器１０に焼き嵌めする工程の際、固定子２０の外径が熱で膨張した密閉容器１０の内径より大きくなった場合、固定子２０を密閉容器１０に焼き嵌めすることができなくなってしまう。
【００５６】
そこで、実施の形態２では、接続される凹凸部（隣接する分割鉄心２２の接続部分）の外周側（密閉容器１０との接触面側）に切欠き３０を設けるようにしている。つまり、分割鉄心２２の各凹部及び各凸部を形成している領域のバックヨーク部２３の外周面を、密閉容器１０の接触面となるバックヨーク部２３の外周面よりも低くしているのである。このようにしておけば、分割鉄心２２ａの凹凸部のしめ代を大きくしても、分割鉄心２２ａを積層方向に圧入する際に凹部（第１凹部１ｂ及び第２凹部２ｂの双方）に変形が生じても、変形した部分が固定子２０の外径よりも外側に出るのを防止することができる。したがって、実施の形態２では、切欠き３０を形成することによって、各分割鉄心２２ａをより強固に固着することを可能にしているのである。
【００５７】
たとえば、固定子２０の外径が１５９．５ｍｍ（１）、熱膨張前の密閉容器１０の内径が１５９．３ｍｍ（２）、熱膨張した密閉容器１０の内径が１５９．８ｍｍ（３）であるとすると、（１）と（３）より固定子２０と密閉容器１０との焼き嵌め代が０．３ｍｍとなり、これらの値から分割鉄心２２ａの凹凸部のしめ代と切欠き３０の寸法や形状等を決定すればよい。なお、切欠き３０の寸法や形状を図７で示すものに限定するものではなく、分割鉄心２２ａや凹部、密閉容器１０の大きさ等によって決定するとよい。
【００５８】
実施の形態３．
図８は、本発明の実施の形態３に係る圧縮機１００ｂの一部を拡大して示す部分拡大図である。図８に基づいて、実施の形態３の特徴事項である分割鉄心の固着力強化について説明する。この実施の形態３では、実施の形態１で説明した事項に加え、各分割鉄心（以下、分割鉄心２２ｂと称する）の固着力をより強固する仕組みについて説明する。図８（ａ）が２つの分割鉄心２２ｂが組み合わされた状態の拡大図を、図８（ｂ）が隣接する分割鉄心２２ｂの接続部分の拡大図を、それぞれ示している。
【００５９】
実施の形態２と同様に各分割鉄心２２ｂの固着力が弱いと、組み立てられた分割鉄心２２ｂの機械的強度が低下することになり、圧縮機用モータ（あるいは圧縮機１００ｂ）の低振動や、低騒音の原因となる。そこで、実施の形態２では、接続される凹凸部の外周側に切欠き３０を設けて各分割鉄心２２ａの固着力強化を図るようにしたが、実施の形態３では、圧入される凹凸部の嵌め合いをすきま嵌めとし、かつ、焼き嵌め時の熱で膨張した密閉容器１０の内径を超えない範囲で嵌合される分割鉄心２２ｂの凹部の外周部に突起部３１を設けて各分割鉄心２２ｂの固着力強化を図るようにしている。
【００６０】
こうすることによって、分割鉄心２２ｂの積層方向への圧入力が小さくなり（あるいはなくなり）、固定子２０の組立性が更に向上することになる。実施の形態３では、一体化された分割鉄心２２ｂを密閉容器１０へ焼き嵌めし、その後の冷却された密閉容器１０の収縮力で凹部の外周部に設けた突起部３１が変形しようとする力で各分割鉄心２２ｂの固着力強化を図っている。ただし、圧入部の嵌め合いをすきま嵌めにすると、固定子２０の形状精度、特に固定子２０の必要な内径精度が悪化する可能性があるので、すきま嵌めの範囲を０ｍｍ〜０．０５ｍｍとするのが望ましい。なお、突起部３１の形状や大きさを特に限定するものではなく、分割鉄心２２ｂや凹部、密閉容器１０の大きさ等によって決定するとよい。
【００６１】
実施の形態４．
図９は、本発明の実施の形態４に係る圧縮機に収容される分割鉄心（以下、分割鉄心２２ｃと称する）を説明するための説明図である。図９に基づいて、実施の形態４の特徴事項である圧縮機の効率低下防止について説明する。実施の形態１で説明したように、分割鉄心２２を積層方向に圧入すると、第１凸部１ａと第１凹部１ｂとが嵌合された部分と、第２凸部２ａと第２凹部２ｂとが隙間を持って接続された部分と、が形成される（図９（ａ）参照）。第２凸部２ａと第２凹部２ｂとによって形成される隙間は、磁束が通る鉄心において磁気抵抗となり、透磁率を悪くすることになる。
【００６２】
その結果、磁束密度の飽和による回転電機効率（圧縮機の効率）の低下を招くことが懸念される。特に、実施の形態１においては、第１鉄心素板６の積層枚数Ｎａと第２鉄心素板７の積層枚数Ｎを２Ｎａ≦Ｎとしたことで凹凸部（第２凸部２ａと第２凹部２ｂ）に多くの隙間が形成されることになる。そうすると、磁気抵抗が増加し、損失が多くなってしまう。そこで、実施の形態４では、図９（ｂ）に示すように第２凹部２ｂの外周部に焼き嵌め代分の突起部３２を設け、分割鉄心２２ｃを積層方向から圧入後、外周方向から別工程で突起部３２を押し付けて、第２凸部２ａと第２凹部２ｂとによって形成される隙間を小さくするようにしている。
【００６３】
このようにすることで、第２凸部２ａと第２凹部２ｂとによって形成される隙間を小さくすることができ、磁束密度の飽和による回転電機効率の低下を防止することができるのである。なお、第２凹部２ｂの外周部に焼き嵌め代分の突起部３２を設けて、一体化された分割鉄心２２ｃを密閉容器１０に焼き嵌める際の焼き嵌め力で突起部３２を押し付けることで、第２凸部２ａと第２凹部２ｂとによって形成される隙間を小さくするようにしてもよい。
【００６４】
実施の形態５．
図１０は、本発明の実施の形態５に係る圧縮機に収容される分割鉄心（以下、分割鉄心２２ｄと称する）を説明するための説明図である。図１０に基づいて、実施の形態５の特徴事項である圧縮機の効率低下防止について説明する。実施の形態４では、第２凹部２ｂの外周部に突起部３２を設け、外周方向から突起部３２を押し込むことにより第２凸部２ａと第２凹部２ｂとによって形成される隙間を小さくし圧縮機の効率低下を防止するようにしたが、実施の形態５では、第１凹部１ｂ及び第２凹部２ｂに冷間溶接剤を塗布することにより第２凸部２ａと第２凹部２ｂとによって形成される隙間を小さくし圧縮機の効率低下を防止するようにしている。
【００６５】
具体的には、磁性体を成分とするジェル状のベース剤と活性剤とを混ぜ合わせることで硬化する冷間溶接剤３３を予め分割鉄心２２ｄの凹部（図１０（ａ）においては、第１凹部１ｂ及び第２凹部２ｂ）に塗り、分割鉄心２２ｄを周方向から組立、圧入することで、分割鉄心２２ｄの第２凸部２ａと第２凹部２ｂとによって形成される隙間や、実施の形態３で示したすきま嵌め構造で生じた隙間に冷間溶接剤を入り込ませることで、これらの隙間を無くすようにしている（図１０（ｂ）参照）。
【００６６】
このように冷間溶着剤を使用したことで、実施の形態４と同様に磁気抵抗が小さくなるため、圧縮機用モータ（あるいは圧縮機）の効率を向上させることができる。また、冷間溶着剤の接着力により、分割鉄心２２ｄ同士の固着力が増し、機械的強度を高めることができるので、圧縮機の低振動化及び低騒音化を実現することにもなる。なお、冷間溶接剤は、磁性体を成分として含んでいるものであればよく、特に原材料を限定するものではない。たとえば、ベロメタル（商品名）「メーカ：ベロメタルジャパン（株）」等を冷間溶接剤として使用することができる。
【００６７】
実施の形態６．
図１１は、本発明の実施の形態６に係る圧縮機に収容される分割鉄心（以下、分割鉄心２２ｅと称する）を説明するための説明図である。図１１に基づいて、実施の形態６の特徴事項である分割鉄心２２ｅの組み合わせの容易化について説明する。図１１（ａ）に示すように分割鉄心２２ｅを円の中心方向に同時に移動させて互いの凹部（第１凹部１ｂ及び第２凹部２ｂ）と凸部（第１凸部１ａ及び第２凸部２ａ）を挿入する際、わずかでも嵌りあう凹凸部の位置ずれがあると、凹部に凸部が入り込み難くなり、仮組立が難しくなる。
【００６８】
そこで、分割鉄心２２ｅでは、図１１（ｂ）に示すように凹部の円中心側の開口端部に面取部８と、凸部の円中心側の根本部に面取部９を設けるようにしている。このように分割鉄心２２ｅを構成することによって、凹部への凸部の挿入が容易になり、組立性が更に向上することになる。なお、面取部８及び面取部９の大きさを特に限定するものではなく、分割鉄心２２ｅ、凹部、あるいは、凸部の大きさ等によって決定するとよい。
【００６９】
以上のように、各実施の形態によれば、分割鉄心の個数によらず、環状に配置した分割鉄心を円周方向に同時に移動させて固定子２０を組み立てることができ、かつ、分割鉄心の圧入回数を低減した圧縮機用モータ及び圧縮機を得られる。また、本発明の実施の形態を分けて説明してきたが、各実施の形態を適宜組み合わせるようにしてもよい。各実施の形態を適宜組み合わせるようにすれば、各実施の形態の特徴事項による効果を重畳的に得ることができる。さらに、実施の形態１に係る組立設備２００を利用した組立方法も各実施の形態に適用できることは言うまでもない。
【図面の簡単な説明】
【００７０】
【図１】実施の形態に係る圧縮機の断面構成の一例を示す縦断面図である。
【図２】圧縮機の断面構成を拡大して示すＡ−Ａ断面図である。
【図３】分割鉄心を説明するための斜視図である。
【図４】分割鉄心を構成する各鉄心素板を説明するための説明図である。
【図５】固定子の組立方法を説明するための工程図である。
【図６】隣接する分割鉄心の接続状態を詳細に説明するための部分拡大図である。
【図７】実施の形態２に係る圧縮機の一部を拡大して示す部分拡大図である。
【図８】実施の形態３に係る圧縮機の一部を拡大して示す部分拡大図である。
【図９】実施の形態４に係る圧縮機に収容される分割鉄心を説明するための説明図である。
【図１０】実施の形態５に係る圧縮機に収容される分割鉄心を説明するための説明図である。
【図１１】実施の形態６に係る圧縮機に収容される分割鉄心を説明するための説明図である。
【図１２】実施の形態１に係る組立設備を上から見た状態を示す概略平面図である。
【図１３】分割鉄心のセット位置を説明するための説明図である。
【符号の説明】
【００７１】
１ａ  第１凸部、１ｂ  第１凹部、２ａ  第２凸部、２ｂ  第２凹部、５  冷凍機油、６  第１鉄心素板、７  第２鉄心素板、８  面取部、９  面取部、１０  密閉容器、１１  油だめ、１２  吸入側配管、１３  吐出側配管、１５  吐出空間、１６  圧縮部、１７  駆動部、１８  圧縮室、１９  回転子、２０  固定子、２１  切欠き、２２  分割鉄心、２２ａ  分割鉄心、２２ｂ  分割鉄心、２２ｃ  分割鉄心、２２ｄ  分割鉄心、２２ｅ  分割鉄心、２３  バックヨーク部、２４  ティース部、３０  切欠き、３１  突起部、３２  突起部、３３  冷間溶接剤、３５  スロット、４０  クランクシャフト、４１  偏心ピン部、４２  給油流路、５０  旋回スクロール、５２  ラップ部、５３  旋回スクロールボス部、５５  スラスト面、６０  固定スクロール、６２  ラップ部、６３  吐出ポート、７０  フレーム、７１  排油穴、８０  オルダムリング、１００  圧縮機、１００ａ  圧縮機、１００ｂ  圧縮機、２００  組立設備、２０１  ベース、２０２  カム溝リング、２０３  ワーク固定ユニット、２０４  ワーク内周保持、２０５  ワーク外周保持、２０６  固定側チャック爪、２０７  後可動側チャック爪、２０８  カム、２０９  カム溝、２１０  ハンドル、２１１  分割鉄心底面押え、２１１ａ  分割鉄心底面押え、２１１ｂ  分割鉄心底面押え、２１１ｃ  分割鉄心底面押え、２１２  スライドベース、２１３  スライドガイド、２１４  カム溝リング保持、２１５  分割鉄心固定台、２１６ａ  バネ、２１６ｂ  バネ。
【図１】
2010119163.tif 000003
【図２】
2010119163.tif 000004
【図３】
2010119163.tif 000005
【図４】
2010119163.tif 000006
【図５】
2010119163.tif 000007
【図６】
2010119163.tif 000008
【図７】
2010119163.tif 000009
【図８】
2010119163.tif 000010
【図９】
2010119163.tif 000011
【図１０】
2010119163.tif 000012
【図１１】
2010119163.tif 000013
【図１２】
2010119163.tif 000014
【図１３】
2010119163.tif 000015